(57)【特許請求の範囲】
【請求項１】
デスク天板の横幅方向に平行で互いに対偶関係に置かれる前後の対面部、これら両対面部の内端を結ぶことにより得られる仕切面部、両対面部の外端に直角に連設された外側面部により両外側面部間を前記デスク天板の横幅と等しくして前記対面部の延長線内に設けられる凹部が互いに反対を向くよう対向配置されるデスク天板の対向端間に跨がって設置されることにより前記凹部が互いのデスク天板上に侵入し合って置かれるようにしたデスクトップパネルと、該デスクトップパネル上面に載置される棚板と、該棚板上面に着脱自在に取着される仕切用棚材とで構成されており、
前記棚材が線材により門型に形成されており、
前記棚材の門型をなす水平部分に嵌め込まれる頭部と、この頭部から垂下した平板部とで構成される目隠し板を着脱自在とされている
ことを特徴とするデスクトップパネル棚仕切り装置。
【発明の詳細な説明】
【０００１】
【発明の属する技術分野】
本発明は、対向配置される事務用デスク上に設置して、ＯＡ機器類の使用と一般事務作業とを妨げることのないようにするためのデスクトップパネル棚仕切り装置に関する。
【０００２】
【従来の技術】
我が国におけるオフィスのデスクのレイアウトは、デスクを向き合わせて配置する対向配列方式が殆どであり、またデスクの天板の大きさも限られている。
【０００３】
近年ではパーソナルコンピュータやワードプロセッサ等のＯＡ機器の普及がめざましく、一般の事務用テスク上にＯＡ機器を設置して作業を行うことが日常化されている。
【０００４】
【発明が解決しようとする課題】
しかしながら上記のＯＡ機器は、近年小型化が進みつつはあるもののＣＲＴディスプレイは相当に大きく、デスク上に設置したときに占めるスペースも大きくなってデスク上の空きスペースが著しく狭くなり、ＯＡ機器以外の事務を行うためのスペースが狭小となるので仕事がやり難いという問題が表面化している。
【０００５】
一方、ＣＲＴディスプレイは前面の表示面はもとより、裏面側からも多くの電磁波が放射されるため、自己が使用しているＣＲＴディスプレイから放射される電磁波以外にも対向しているデスク上のＣＲＴディスプレイから電磁波の影響を受けることになるという問題が指摘されている。
【０００６】
【課題を解決するための手段】
本発明は、上記の現状に鑑み、簡単な構成によりデスク天板の上面のＯＡ機器設置のためのスペースを拡大し、ＯＡ機器を使用する業務と一般事務とを支障なく行うことができるデスクトップパネル棚仕切り装置を提供することを課題としてなされたもので、デスク天板の横幅方向に平行で互いに対偶関係に置かれる前後の対面部、これら両対面部の内端を結ぶことにより得られる仕切面部、両対面部の外端に直角に連設された外側面部により両外側面部間を前記デスク天板の横幅と等しくして前記対面部の延長線内に設けられる凹部が互いに反対を向くよう対向配置されるデスク天板の対向端間に跨がって設置されることにより前記凹部が互いのデスク天板上に侵入し合って置かれるようにしたデスクトップパネルと、該デスクトップパネル上面に載置される棚板と、該棚板上面に着脱自在に取着される仕切用棚材とで構成されており、前記棚材が線材により門型に形成されており、前記棚材の門型をなす水平部分に嵌め込まれる頭部と、この頭部から垂下した平板部とで構成される目隠し板を着脱自在とされていることを特徴とする。
【０００７】
したがってデスクトップパネルの上部に棚材を組み合わせて棚板を取付けることにより対向型の一般的な使用とＯＡ機器を棚板に載置して使用する場合にも簡単に対応することができ、かつ用途に応じて仕切りとなる棚材の移動設置が可能である。
【０００９】
【発明の実施の形態】
以下、本発明を図面に示す実施の形態を参照して説明する。
図１は本発明の対向型デスクトップパネル棚仕切り装置１の斜視図を示し、図２は図１から棚仕切り部分を取外した状態の斜視図を示している。
【００１０】
本発明は図１に示すようにデスク２，２の天板３，３上にデスクトップパネル４が載置され、デスクトップパネル４の上面に載置される棚板５と、該棚板５の上面に着脱自在に取着される仕切り用の棚材６とで構成されている。
【００１１】
前記デスクトップパネル４は、図２に示すようにデスク２，２の天板３，３（以下デスク天板という）の横幅Ｌの半分以下の幅を有しかつデスク天板３，３の前後縁３ａ，３ｂと平行に置かれてそのデスク２，２の使用者と対面するように対偶関係に置かれる対面部７，７と、これら対面部７，７の内端を結ぶことに得られる仕切面部８と、対面部７，７の外端に直角に連設された外側面部９，９とで両外側面部９，９間を前記デスク天板３，３の横幅Ｌと等しくして両対面部部７，７と仕切面部８および両外側面部９，９とにより囲まれた凹部１０，１０が互いに反対向き（対偶位置）に構成されており、対向配置されるデスク天板３、３の対向端間に跨がって設置することにより凹部１０，１０は互いのデスク天板３、３上に侵入しあって置かれる。この場合両対面部部７，７の長さをデスクの幅の半分以下として仕切面部８を傾斜させるとこの凹部１０，１０に例えばＯＡ機器（ＣＲＴ）を設置するとき、仕切面部８が外側面部９と平行に置かれた場合に比較してＯＡ機器を左右に振ることができるのでその設置位置にある程度の自由度を得ることができる。なお、上記デスクトップパネル４の各面部は電磁波を遮断するための金属板を内蔵して防磁構造とすることができる。
【００１２】
またこの実施形態においては、両外側面部９，９の高さが対面部７，７および仕切面部８の高さよりも高く形成されている。
【００１３】
図３および図４は棚板５の斜視図を示すもので、鉄板等により周縁および特定個所のみが適宜高さを有して表面は１枚の平板状とした横長の薄い箱型に形成されたものである。
【００１４】
この実施形態においては棚板５の上面に横方向の周縁近傍にＯＡ機器のコード等を通すための適宜大きさで複数個の穴１１と幅方向にほぼ半分の長さを有する仕切り用棚材６をその両端で取付けるために左右方向と、前後方向およびその中間の位置に選択して取付けられる計１２個の穴１２が設けられている。
【００１５】
そして仕切り用棚材６が左前側に１個、右後側に１個設ける場合を示しており、これにより使用しない８個の穴１２はこれぞれ樹脂製のプラグ１３により閉塞するようになっている。
【００１６】
仕切り用棚材６は線材を１つの長い水平部６ａと２つの短かい垂直部６ｂを有する門型に形成されており、垂直部６ｂの解放端が棚板５の前記穴１２に挿入されて立位姿勢に取付けられるようになっている。
【００１７】
図５および図６は棚材６を棚板５に取付ける手段として押込型（図５）と締付型（図６）の２つの場合の断面図を示すもので、押込型は棚材６の垂直部６ｂが挿入される棚板５側の受入れ部分の断面は図５（Ａ）に示すように表面に凹部を形成し、この周辺に断面Ｕ字型となる支持用部材５ａを固着してその底部が棚板５の高さの中間位置になるようにし、それぞれに垂直部６ｂの解放端が遊合できる程度の太さの小径の穴１４，１４（前記穴１２よりも小さい）を穿設し、さらに支持用部材５ａを内嵌して該部材５ａよりも低い位置となる棚板５の底部５ｃを固着することにより棚材６が挿入されたときその底部５ｂがストッパとなるようにしたものである。
【００１８】
したがって棚材６の垂直部６ｂを上下の穴１４，１４に挿入すると、図５（Ｂ）に示すように棚材６の垂直部６ｂは２つの穴１４，１４を通り抜けて底部５ｂに接触して停止するが、棚材６は２つの穴１４，１４の部分で支持されるので倒れる恐れはない。
【００１９】
これに対して締付型は、図６（Ａ）に示すように棚材６の垂直部６ａの端面にビス用ネジ穴をあけておき、棚板５には図５（Ａ）と同様に形成された支持用部材５ａの底部を垂直部６ａが挿入されたときのストッパとして、ここにはビス１５のネジ部が通過できるよう前記穴１４より小径となる大きさの穴１６が穿設されている。
【００２０】
また底部５ｂにはビス１４の頭部が通過できる大きさの穴１７が穿設されている。
【００２１】
したがって棚材６の垂直部６ａを穴１４を通して挿入すると支持用部材５ａに接触してこの位置で停止する。このとき図６（Ｂ）に示すように底部５ｂの穴１７からビス１５を挿入して支持用部材５ａの穴１６から棚材６の垂直部６ａに設けたネジ穴にネジ込むことにより棚材６が棚板５に固定される。
【００２２】
このようにして棚板５に棚材６を用途に応じて簡単に移動設置ができるから、対向配列のデスクの棚板５に書類やファイルを置く場合にも棚材６を中央に取付け両面で使用することもできる。
【００２３】
ＯＡ機器の背面につながっているケーブルを隠したい場合や、換気用のファン等がある場合には棚材６を使用してこれを可能とすることができる。
【００２４】
すなわち図５または図６の何れかにより取付けられた棚材６にさらに図７に示すような目隠し板１８を取付けるようにすることができる。
【００２５】
上記の目隠し板１８は、図７（Ａ）に示すように棚材６の断面円形の水平部６ａにバネ作用により嵌込まれて外れ難くした適宜長さを有する半円型の頭部１８ａと、この頭部１８ａから延設されほぼ棚材６の水平部６ａの長さおよび垂直部６ｂと略等しい高さを有する平板部１８ｂとで構成されている。
【００２６】
この棚材６に目隠し板１８を取付けるには、頭部１８ａを水平部６ａに嵌め込み、平板部１８ｂを垂直に取付けることにより目隠しとすることができる。
【００２７】
この目隠し板１８は対面する相手方の使用するコンピュータ等のＯＡ機器から放出される風を避けるのに有効である。
【００２８】
さらに棚板５の上面には前述のようにデスク面に通ずる穴（コードホール）１１が設けてあり、棚板５の上に設置したＯＡ機器からのケーブルをデスク面に設置したディスプレイ等に通線する場合にはこの穴１１を通してつなぐことができる。
【００２９】
図８および図９は本発明に使用される付属部品を示すもので、図８はデスクトップパネル４の凹部１０に断面下向きコ字形の棚１９を設置することにより、上面にはＣＲＴを載置し、その下にはキーボードを収納するようにすることができる。
【００３０】
また図９はローラ付きの薄箱形のキーボード収納棚２０を設置するようにした場合を示し、その上面にはＣＲＴを載置できるとともに、底部にはローラ２０ａが装着されているので引き出しを容易としたものである。
【００３１】
【発明の効果】
本発明は以上説明したように構成したから、つぎのような効果が得られる。
【００３２】
１）本願発明によれば、対向配置されるデスクのデスク天板に向き合う者同士が互いに相手側のデスクの一部を利用し合ってＯＡ機器類を設置使用することができ、しかも一般事務用のスペースも十分に確保することができ、かつデスクトップパネルの上部には棚板を設けたことによりより書類やファイルを置くためのスペースが確保できるのでＯＡ機器と一般事務とに共用するとき極めて有効である。
【００３３】
２）また、棚板に設ける棚材を線材としたから取扱いが容易であり、任意の位置に選択的に使用することができ、しかも着脱も極めて容易である。
【００３４】
３）さらに、目隠し板を取付けたことにより対面する相手方の使用するコンピュータ等のＯＡ機器から放出される風を避けることができるとともにケーブル類を隠すことができ、しかも取付けも容易にできる。
【図面の簡単な説明】
【図１】本発明のデスクトップパネル棚仕切り装置の一実施の形態の外観を示す斜視図。
【図２】図１のデスクを含むデスクトップパネルの外観を示す斜視図。
【図３】図１の棚板に棚材を取付けた状態を示す斜視図。
【図４】図３に棚材を取付ける前の状態を示す斜視図。
【図５】図４の棚材に棚材を取付ける押込型の場合を示し、（Ａ）は取付前、（Ｂ）は取付後の断面図。
【図６】図４の棚材に棚材を取付ける締付型の場合を示し、（Ａ）は取付前、（Ｂ）は取付後の断面図。
【図７】図３の棚材に目隠し板を取付ける場合を示し、（Ａ）は取付け前、（Ｂ）は取付け後の状態の説明図。
【図８】図１のデスクトップパネル棚仕切り装置に装着された付属部品の一例を示す外観斜視図。
【図９】図１のデスクトップパネル棚仕切り装置に装着された付属部品の他の一例を示す外観斜視図。
【符号の説明】
１  デスクトップパネル棚仕切り装置
２  デスク
３  天板
４  デスクトップパネル
５  棚板
６  仕切用棚材
６ａ  水平部分
７  対面部
８  仕切面部
９  外側面部
１０  凹部
１８  目隠し板
１８ａ  頭部
１８ｂ  平板部
【図１】
0003727430.tif 000002
【図２】
0003727430.tif 000003
【図３】
0003727430.tif 000004
【図４】
0003727430.tif 000005
【図５】
0003727430.tif 000006
【図６】
0003727430.tif 000007
【図７】
0003727430.tif 000008
【図８】
0003727430.tif 000009
【図９】
0003727430.tif 000010